(57)【要約】【課題】意図せずに点消火用操作部材の操作が規制されたり、この規制が解除されたりすることを抑制できるガスこんろを提供する。【解決手段】ガスこんろ１は、こんろ本体２、ガスバーナー３、点消火用操作部材６１，６２及びロック用操作部材６４を備える。ガスバーナー３は、こんろ本体２に設けられる。点消火用操作部材６１，６２は、こんろ本体２に設けられ、こんろ本体２の前面から前方に突出し、ガスバーナー３の点火と消火とを切り替える際に操作される。ロック用操作部材６４は、点消火用操作部材６１，６２の操作の規制と当該規制の解除とを切り替える際に操作される。こんろ本体２は、不意押し抑制部８０を備える。不意押し抑制部８０は、こんろ本体２の前面から前方に突出し、左右方向において点消火用操作部材６１，６２と隣接する。ロック用操作部材６４が不意押し抑制部８０に設けられる。【選択図】図１
2018200120.tif 000002
【特許請求の範囲】
【請求項１】
こんろ本体と、
前記こんろ本体に設けられたガスバーナーと、
前記こんろ本体に設けられ、前記こんろ本体の前面から前方に突出し、前記ガスバーナーの点火と消火とを切り替える際に操作される点消火用操作部材と、
前記点消火用操作部材の操作の規制と当該規制の解除とを切り替える際に操作されるロック用操作部材とを備え、
前記こんろ本体は、
前記前面から前方に突出し、左右方向において前記点消火用操作部材と隣接する不意押し抑制部を備え、
前記ロック用操作部材が前記不意押し抑制部に設けられたことを特徴とするガスこんろ。
【請求項２】
一対の前記ガスバーナーと、
前記一対のガスバーナーのそれぞれに対応する一対の前記点消火用操作部材とを備え、
前記一対の点消火用操作部材は、左右方向に並んでおり、
前記不意押し抑制部は、前記一対の点消火用操作部材の間に配置されており、
前記ロック用操作部材は前記一対の点消火用操作部材の操作の規制と当該規制の解除とを切替可能であることを特徴とする請求項１に記載のガスこんろ。
【請求項３】
前記不意押し抑制部は、前記こんろ本体の前記前面から前方に突出した突出部分の形状が、前記点消火用操作部材において前記こんろ本体の前記前面から前方に突出した突出部分の形状と左右方向に見て同じ形状であり、
前記不意押し抑制部の前記突出部分は、左右方向に見て、前記点消火用操作部材の前記突出部分と重なることを特徴とする請求項１又は請求項２に記載のガスこんろ。
【請求項４】
前記不意押し抑制部は、
前方の部分ほど下方に位置するように傾斜した頂部と、
前記頂部の前端部から後方に延びて、後方の部分ほど下方に位置するように傾斜した底部とを備え、
前記ロック用操作部材は前記底部に設けられたことを特徴とする請求項１〜３のいずれか１項に記載のガスこんろ。
【請求項５】
前記ロック用操作部材は、前記こんろ本体に対して上方に取り外し可能に取り付けられており、
前記ロック用操作部材は、左右方向に移動することで、前記点消火用操作部材の操作を規制するロック位置と、前記点消火用操作部材の操作の規制を解除するアンロック位置とに切換可能であり、
前記不意押し抑制部は、
前記ロック位置及び前記アンロック位置に配置された前記ロック用操作部材の上方への移動を規制するストッパー部を備え、
前記ストッパー部に、前記ロック位置と前記アンロック位置との間に位置する前記ロック用操作部材の上方に位置し、上下方向に貫通した切欠が形成されたことを特徴とする請求項１〜４のいずれか１項に記載のガスこんろ。
【請求項６】
前記ロック用操作部材は、前記点消火用操作部材の操作を規制するロック位置と、前記点消火用操作部材の操作の規制を解除するアンロック位置とに移動可能であり、
前記ロック用操作部材は、
弾性変形可能なクリック感付与部を備え、
前記こんろ本体は、
前記ロック用操作部材が前記ロック位置と前記アンロック位置との間を移動する際に、前記クリック感付与部が弾性変形しながら乗り越える突起部を備えたことを特徴とする請求項１〜５のいずれか１項に記載のガスこんろ。
【請求項７】
前記ロック用操作部材は、
ユーザーによって操作される板状の操作片部を備え、
前記クリック感付与部は、板状に形成されて前記操作片部に一体に繋がっており、前記クリック感付与部の板厚が前記操作片部の板厚よりも小さいことを特徴とする請求項６に記載のガスこんろ。
【発明の詳細な説明】
【技術分野】
【０００１】
本発明はガスこんろに関し、詳しくは、ガスバーナーの点火と消火とを切り替える際に操作される点消火用操作部材の操作の規制と解除とを切り替えられるガスこんろに関する。
【背景技術】
【０００２】
特許文献１にはガス器具が開示されている。このガス器具の前面には、ガスバーナーの点消火を行うための点消火ボタンと、点消火ボタンの操作を規制するためのチャイルドロックレバーとが設けられている。
【先行技術文献】
【特許文献】
【０００３】
【特許文献１】特開２００３−３２２３４０号公報
【発明の概要】
【発明が解決しようとする課題】
【０００４】
前述したガス器具は、チャイルドロックレバーがガス器具の前面に設けられており、ガス器具の前方に居るユーザーが不意にチャイルドロックレバーに触れてしまい、意図せずに点消火ボタンの操作が規制されたり、この規制が解除されたりするおそれがある。
【０００５】
本発明は前記事情に鑑みてなされたものであって、意図せずに点消火用操作部材の操作が規制されたり、この規制が解除されたりすることを抑制できるガスこんろを提供することを目的とする。
【課題を解決するための手段】
【０００６】
前記目的を達成するために本発明に係る一態様のガスこんろは、こんろ本体と、前記こんろ本体に設けられたガスバーナーと、前記こんろ本体に設けられ、前記こんろ本体の前面から前方に突出し、前記ガスバーナーの点火と消火とを切り替える際に操作される点消火用操作部材と、前記点消火用操作部材の操作の規制と当該規制の解除とを切り替える際に操作されるロック用操作部材とを備え、前記こんろ本体は、前記前面から前方に突出し、左右方向において前記点消火用操作部材と隣接する不意押し抑制部を備え、前記ロック用操作部材が前記不意押し抑制部に設けられたことを特徴とする。
【発明の効果】
【０００７】
本発明に係るガスこんろは、ユーザーがロック用操作部材に接触して、点消火用操作部材の操作が意図せずに規制されたり、この規制が意図せずに解除されたりすることを抑制できる。
【図面の簡単な説明】
【０００８】
【図１】図１は、本発明に係る一実施形態のガスこんろの正面図である。
【図２】図２は、同上のガスこんろの操作ユニットを示した斜視図である。
【図３】図３は、同上の操作ユニットの分解斜視図である。
【図４】図４は、同上の操作ユニットの後側から見た斜視図である。
【図５】図５は、同上の操作ユニットであって、ロック用操作部材がロック位置に配置された状態における斜視図である。
【図６】図６は、同上のロック用操作部材の斜視図である。
【図７】図７は、同上の操作ユニットの要部を示し、一部を断面で示した斜視図である。
【発明を実施するための形態】
【０００９】
図１に本実施形態のガスこんろ１を示す。本実施形態のガスこんろ１は、ビルトイン式のグリル付きガスこんろである。
【００１０】
ガスこんろ１は、上方に開口した矩形箱状のこんろ本体２を備えている。以下では、こんろ本体２の対向する一対の壁部のうち、一方の壁部から他方の壁部（後述する壁部２０）に向かう方向を前方、これと逆向きの方向を後方と定義し、ガスこんろ１を前方から見たときを基準に左右方向を規定して、ガスこんろ１の各構成について説明する。
【００１１】
ガスこんろ１のユーザーは、こんろ本体２の前方からガスこんろ１を利用する。ガスこんろ１は、複数のガスバーナー３と天板４とをさらに備えている。天板４はこんろ本体２の上面開口部を覆うようにこんろ本体２上に設置されている。
【００１２】
こんろ本体２は、上方に開口した矩形箱状の筐体２４で主体が構成されている。こんろ本体２における前側の壁部２０（以下、前壁部２０という）は、筐体２４の前側の壁部２５と、この壁部２５に取り付けられた左右の操作ユニット５，６の一部によって構成されている。こんろ本体２の左右両側の壁部は、筐体２４の左右両側の壁部によってそれぞれ構成され、こんろ本体２における後側の壁部は、筐体２４の後側の壁部によって構成されている。
【００１３】
本実施形態のガスこんろ１は、複数のガスバーナー３として、複数のこんろバーナー３０〜３２と、図示しないグリルバーナーとを備えている。
【００１４】
複数のこんろバーナー３０〜３２は、筐体２４の内側に設置されている。各こんろバーナー３０〜３２は天板４を貫通して天板４の上方に突出している。ガスこんろ１は、複数のこんろバーナー３０〜３２にそれぞれ一対一で対応し、天板４上に設置される複数の五徳１０〜１２をさらに備えている。
【００１５】
本実施形態のガスこんろ１は、複数のこんろバーナー３０〜３２として、筐体２４の左側前部に配置された左こんろバーナー３０と、筐体２４の右側前部に配置された右こんろバーナー３１と、筐体２４の左右方向における中央の後部に配置された後こんろバーナー３２とを備えている。
【００１６】
ガスこんろ１は、筐体２４の左右方向における中央部に設置され筐体２４の前面から前方に開口するグリル庫１３と、グリル庫１３の前面開口部を開閉するグリル扉１４とをさらに備えている。図示しないグリルバーナーは、グリル庫１３内に設けられている。
【００１７】
（操作ユニット）
本実施形態のガスこんろ１は、左右一対の操作ユニット５，６を備えている。左右の操作ユニット５，６は、筐体２４の前側の壁部２５においてグリル扉１４を挟んだ左右両側の部分にそれぞれ取り付けられている。左右の操作ユニット５，６は、共通の構成を有している。以下では、右側の操作ユニット６について詳述し、左側の操作ユニット５において右側の操作ユニット６と共通する構成については、同一の符号を付して説明を省略する。
【００１８】
図２に示すように、操作ユニット６は、壁構成部６０、複数の点消火用操作部材６１，６２、設定用操作部材６３及びロック用操作部材６４を備えている。
【００１９】
図１に示すように、壁構成部６０は、筐体２４の前側の壁部２５に取り付けられている。本実施形態では、こんろ本体２の前壁部２０のうち、グリル扉１４の左方に位置する部分が左側の操作ユニット５の壁構成部６０で構成されており、グリル扉１４の右方に位置する部分が右側の操作ユニット６の壁構成部６０で構成されている。壁構成部６０には、複数の点消火用操作部材６１，６２、設定用操作部材６３及びロック用操作部材６４が設けられている。
【００２０】
壁構成部６０は、図３に示す、フレーム６５、上下の枠体６６，６７、及び化粧パネル６８を備えている。図示は省略するが、フレーム６５は筐体２４の前側の壁部２５に取り付けられている。フレーム６５は正面視矩形枠状に形成されており、フレーム６５の内側には前後方向に貫通した嵌込孔６９が形成されている。
【００２１】
上下の枠体６６，６７のうちの上側の枠体６６である上枠体６６は、嵌込孔６９の上部に嵌め込まれた状態でフレーム６５に取り付けられており、下側の枠体６７である下枠体６７は、嵌込孔６９の下部に嵌め込まれた状態でフレーム６５に取り付けられている。下枠体６７は上枠体６６の下方に位置し、下枠体６７の上端部は上枠体６６の下端部に連結されている。
【００２２】
上枠体６６は、前面を構成する正面視矩形板状の前板部７０と、前板部７０の外周部から後方に突出した枠部７１とを備えている。前板部７０には、前板部７０の前面を覆う化粧パネル６８が取り付けられている。化粧パネル６８の前面は、こんろ本体２の前面の一部を構成している。図４に示すように枠部７１は後方から見て矩形枠状に形成されている。
【００２３】
上枠体６６には図３に示す複数の点消火用操作部材６１，６２が取り付けられている。本実施形態の上枠体６６には、左右方向に並んだ２つの点消火用操作部材６１，６２が取り付けられており、このうち、左側の点消火用操作部材６１は、グリルこんろバーナーに対応し、右側の点消火用操作部材６２は右こんろバーナー３１に対応する。図１に示す左側の操作ユニット５の２つの点消火用操作部材６１，６２のうち、左側の点消火用操作部材６１は、左こんろバーナー３０に対応し、右側の点消火用操作部材６２は後こんろバーナー３２に対応する。ユーザーは各点消火用操作部材６１，６２を操作することで、対応するガスバーナー３の点火と消火とを切り替えることができる。
【００２４】
図３に示すように、上枠体６６にはロック用操作部材６４が取り付けられている。ユーザーは、ロック用操作部材６４を操作することで、操作ユニット６に設けられた複数の点消火用操作部材６１，６２の操作の規制とこの規制の解除とを切り替えることができる。
【００２５】
下枠体６７には、ガスバーナー３による自動調理の設定を行うための設定用操作部材６３が取り付けられている。この設定は、例えば、各こんろバーナの加熱モード（おかゆモード、ご飯モード、湯沸しモード等）の設定、グリルバーナの加熱モード（姿焼モード、切身モード、干物モード等）の設定である。
【００２６】
本実施形態の設定用操作部材６３は、いわゆるカンガルーポケット式の操作部材である。設定用操作部材６３の上面には、各種の操作ボタンが設けられており、設定用操作部材６３の下端部は、下枠体６７に対して左右軸回り方向に回転可能に支持されている。ここで、「左右軸回り方向に回転可能」とは、左右方向と平行な仮想回転軸を中心に回転可能であることを意味する。
【００２７】
ユーザーは、設定用操作部材６３を下枠体６７に対して左右軸回り方向に回転させることで、設定用操作部材６３を、こんろ本体２の前方に突出して設定用操作部材６３の上面が露出した使用位置と、こんろ本体２に隠れるように下枠体６７内に収納されて設定用操作部材６３の上面が露出しない収納位置とに切替えることができる。
【００２８】
本実施形態のガスこんろ１は、図１に示すように、複数の火力調整用操作部材１５〜１７をさらに備えている。複数の火力調整用操作部材１５〜１７は、複数のこんろバーナー３０〜３２にそれぞれ１対１で対応する。各火力調整用操作部材１５〜１７は筐体２４内に設置されている。本実施形態の各火力調整用操作部材１５〜１７は、操作レバーである。
【００２９】
左こんろバーナー３０に対応する火力調整用操作部材１５及び後こんろバーナー３２に対応する火力調整用操作部材１６は、左側の操作ユニット５の前板部７０及び化粧パネル６８を貫通して当該化粧パネル６８の前方に突出している。
【００３０】
右こんろバーナー３１に対応する火力調整用操作部材１７は、右側の操作ユニット６の前板部７０及び化粧パネル６８を貫通して化粧パネル６８の前方に突出している。
【００３１】
ユーザーは各火力調整用操作部材１５〜１７を操作することで、対応するこんろバーナー３１の火力を変更することができる。
【００３２】
（点消火用操作部材）
図３に示す本実施形態の各点消火用操作部材６１，６２は、押し操作式のスイッチである。各点消火用操作部材６１，６２は、後側の上端部が上枠体６６に左右軸回り方向に回転可能に支持されており、前後に揺動可能である。
【００３３】
上枠体６６の前板部７０には、点消火用操作部材６１，６２と同数の孔７３が左右方向に並んで形成されている。各孔７３は前板部７０を前後方向に貫通している。各孔７３には点消火用操作部材６１，６２が配置されている。
【００３４】
化粧パネル６８において点消火用操作部材６１及び点消火用操作部材６２に対応する箇所には、１つの連続した窓孔７４が形成されている。各点消火用操作部材６１，６２は、窓孔７４を通して、化粧パネル６８から前方に突出している。
【００３５】
各点消火用操作部材６１，６２は、上枠体６６に対して左右軸回り方向に回転させることで、化粧パネル６８から前方に大きく突出した点火受付姿勢と、点火受付姿勢よりも化粧パネル６８からの前方への突出量が小さい消火受付姿勢とに切り替えることができる。なお、以下では、特に記載する場合を除き、各点消火用操作部材６１，６２が点火受付姿勢にある状態について説明する。
【００３６】
図２に示すように、各点消火用操作部材６１，６２は、化粧パネル６８から前方に突出した突出部分７５を備えている。
【００３７】
突出部分７５は、頂部７６、底部７７及び左右の側部７８，７９を備えている。頂部７６は、突出部分７５の上面を構成し、前方の部分ほど下方に位置するように傾斜した板状に形成されている。底部７７は、突出部分７５の下面を構成し、底部７７の前端部は頂部７６の前端部と繋がっている。底部７７は、後方の部分ほど下方に位置するように傾斜した板状に形成されている。左右の側部７８，７９は、それぞれ突出部分７５の左右の側面を構成している。頂部７６と底部７７とで構成された側断面く字状の部分の左右両端は、左右の側部７８，７９で閉塞されている。
【００３８】
図示は省略するが、こんろ本体２には、各ガスバーナー３の点火と消火とを切り替える切替手段として、各点消火用操作部材６１，６２の操作に連動する器具栓と、各点消火用操作部材６１，６２の操作に連動する点火プラグとが内蔵されている。
【００３９】
ユーザーは、点火受付姿勢にある点消火用操作部材６１，６２の頂部７６を前側に押し込むことで、対応するガスバーナー３を点火することができる。ユーザーは、消火受付姿勢にある点消火用操作部材６１，６２の頂部７６を前側から後側に押し込むことで、対応するガスバーナー３を消火することができる。図示は省略するが、点消火用操作部材６１，６２と器具栓とを連動させる連動機構は、ばね等の付勢手段を備えており、消火受付姿勢から前側に押し込まれた点消火用操作部材６１，６２は、付勢手段の付勢力によって点火受付姿勢に復帰する。
【００４０】
（ロック用操作部材）
次に点消火用操作部材６１，６２の操作の規制（ロック）と、この規制の解除（アンロック）とを切り替えるためのロック用操作部材６４について詳述する。ロック用操作部材６４は、上枠体６６が備えた不意押し抑制部８０に設けられている。
【００４１】
図３に示すように、不意押し抑制部８０は、上枠体６６の前板部７０から前方に突出し、左右方向において点消火用操作部材６１，６２と隣接している。不意押し抑制部８０は、ユーザーが、隣接する点消火用操作部材６１，６２に不意に接触して、点消火用操作部材６１，６２が意図せずに操作されることを抑制する。
【００４２】
本実施形態の不意押し抑制部８０は、前板部７０と一体に形成されており、前板部７０における２つの孔７３の間の部分から前方に突出している。不意押し抑制部８０は、左右方向に並んだ２つの点消火用操作部材６１，６２の間に配置されており、これら２つの点消火用操作部材６１，６２と左右方向において隣接している。このため、本実施形態の不意押し抑制部８０は、左右両側の点消火用操作部材６１，６２が意図せずに操作されることを抑制する。
【００４３】
図２に示すように、不意押し抑制部８０は、窓孔７４を通して化粧パネル６８の前方に突出している。不意押し抑制部８０において化粧パネル６８（こんろ本体２）よりも前方に突出した突出部分８１の形状は、点消火用操作部材６１，６２において化粧パネル６８（こんろ本体２）から前方に突出した突出部分７５の形状と左右方向に見て同じ形状である。
【００４４】
不意押し抑制部８０の突出部分８１は、頂部８２、底部８３及び左右の側部８４，８５を備えている。頂部８２は、突出部分８１の上面を構成し、前方の部分ほど下方に位置するように傾斜した板状に形成されている。底部８３は、突出部分８１の下面を構成し、底部８３の前端部は頂部８２の前端部と繋がっており、後方の部分ほど下方に位置するように傾斜した板状に形成されている。左右の側部８４，８５は、それぞれ突出部分８１の左右の側面を構成している。頂部８２と底部８３とで構成された側断面く字状の部分の左右両端は、左右の側部８４，８５で閉塞されている。
【００４５】
不意押し抑制部８０の突出部分８１は、左右方向に見て、点消火用操作部材６１，６２の突出部分７５と重なっている。不意押し抑制部８０の傾斜した頂部８２の上面は、左右の点消火用操作部材６１，６２の頂部７６の上面と面一であり、不意押し抑制部８０の傾斜した底部８３の下面は、左右の点消火用操作部材６１，６２の底部７７の下面と面一である。このため、左右の点消火用操作部材６１，６２は、不意押し抑制部８０を介して連続したような外観であって見栄えがよい。
【００４６】
ロック用操作部材６４は、図４に示すように、不意押し抑制部８０の後方に配置されており、こんろ本体２に対して左右方向に移動可能に取り付けられている。ユーザーは、ロック用操作部材６４を左右方向に移動することで、左右の点消火用操作部材６１，６２の操作を規制するロック位置（図５参照）と、左右の点消火用操作部材６１，６２の操作の規制を解除するアンロック位置（図４参照）とに切換可能である。
【００４７】
図６に示す本実施形態のロック用操作部材６４は、合成樹脂製であって一体成形品である。ロック用操作部材６４は、取付片部８７、操作片部８８及び規制部８９，９０を備えている。取付片部８７は、上枠体６６に形成された矩形枠状の枠部７１の下辺を構成する下辺部８６（図４参照）に対して左右方向に移動可能に取り付けられている。操作片部８８は、ユーザーによって操作される。規制部８９，９０は、点火受付姿勢にある点消火用操作部材６１，６２の操作を規制する。
【００４８】
取付片部８７は、上下方向に直交した板状に形成されている。取付片部８７は、上枠体６６の下辺部８６（図７参照）の上面に沿って配置されており、下辺部８６の上面に沿って左右方向にスライド可能である。
【００４９】
取付片部８７には、下方に向かって突出した複数の係止部９１が形成されている。複数の係止部９１は、図７に示すように、下辺部８６を貫通して下辺部８６の下面に対して左右方向にスライド可能に係止されている。これにより、ロック用操作部材６４はこんろ本体２に対して左右方向に移動可能に取り付けられている。
【００５０】
取付片部８７には操作片部８８が繋がっている。操作片部８８は、左右方向に直交した板状に形成されており、取付片部８７の左右方向の中央部から上方に突出している。操作片部８８は、取付片部８７の前斜め上方に位置した操作部分９２と、操作部分９２と取付片部８７とを繋いだ連結部分９３とを備えている。
【００５１】
操作部分９２はユーザーの指で操作される部分であり、操作片部８８の前端部に位置している。連結部分９３は取付片部８７から上方に延びた立ち上がり部９４と、立ち上がり部９４の上端部から前方に張り出して前端部が操作部分９２に繋がった張出部９５とを備えている。操作部分９２は張出部９５の前端部から下方に突出している。
【００５２】
張出部９５は不意押し抑制部８０の内側に配置されている。張出部９５の下方には、不意押し抑制部８０の底部８３が位置しており、底部８３には上下方向に貫通した孔９６が形成されている。操作部分９２は孔９６を貫通して不意押し抑制部８０の底部８３から下方に突出している。これにより、ロック用操作部材６４は、操作部分９２のみがこんろ本体２の外部に露出している。
【００５３】
ユーザーは操作部分９２を指で操作することで、ロック用操作部材６４を左右方向に移動することができる。ロック用操作部材６４の左右方向の移動範囲は、例えば張出部９５が不意押し抑制部８０の左右の側部８４，８５に当たること、あるいは操作部分９２が孔９６の縁部に当たること等によって一定の範囲に制限される。
【００５４】
本実施形態のロック用操作部材６４は、図５に示すロック位置に配置されたときに操作部分９２が孔９６の右側端部に配置され、図４に示すアンロック位置に配置されたときに操作部分９２が孔９６の左側端部に配置される。
【００５５】
ロック用操作部材６４は、左側の点消火用操作部材６１の操作を規制する左側の規制部８９と、右側の点消火用操作部材６２の操作を規制する右側の規制部９０とを備えている。
【００５６】
左右の規制部８９，９０は、取付片部８７の左右両側部分からそれぞれ上方に突出している。
【００５７】
左右の点消火用操作部材６１，６２が点火受付姿勢にある状態で、ロック用操作部材６４が図４に示すアンロック位置に配置された状態では、左右の規制部８９，９０は、対応する点消火用操作部材６１，６２が通過する位置から外れた位置に配置される。このため、各点消火用操作部材６１，６２は、対応するガスバーナー３が点火される位置まで後方に移動可能なアンロック状態となる。このように各点消火用操作部材６１，６２がアンロックされた状態では、ユーザーは各点消火用操作部材６１，６２を操作して、対応するガスバーナー３を点火することができる。
【００５８】
左右の点消火用操作部材６１，６２が点火受付姿勢にある状態で、ロック用操作部材６４が図５に示すロック位置に配置された状態では、左右の規制部８９，９０は対応する点消火用操作部材６１，６２の後方に位置して対向する。このため、各点消火用操作部材６１，６２は、後方に押されても、対応する規制部８９，９０に当たってそれ以上後方に移動しない。
【００５９】
従って、ユーザーは、操作部分９２（図２参照）を操作してロック用操作部材６４をロック位置に切り替えることで、左右の点消火用操作部材６１，６２を同時にロック状態とすることができ、これにより、子供等が左右の点消火用操作部材６１，６２を操作してガスバーナー３が点火状態になることが抑制される。また、ユーザーは、操作部分９２を操作してロック用操作部材６４をアンロック位置に切り替えることで、左右の点消火用操作部材６１，６２のロック状態を同時に解除することができる。
【００６０】
本実施形態のガスこんろ１は、ロック用操作部材６４がロック位置とアンロック位置とに切り替えられたときに、ユーザーに対してクリック感を付与するためのクリック感付与手段を備えている。
【００６１】
クリック感付与手段は、図７に示すロック用操作部材６４が備えたクリック感付与部９７と、こんろ本体２が備えた突起部９８とを備えており、ロック用操作部材６４がロック位置とアンロック位置との間を移動する際に、クリック感付与部９７が弾性変形しながら突起部９８を乗り越えることで、ユーザーに対してクリック感を与える。
【００６２】
クリック感付与部９７は、操作片部８８に一体に繋がっており、上枠体６６の前板部７０の後方に配置されている。クリック感付与部９７は、前後方向を厚み方向とした上下に長い板状に形成されており、張出部９５から下方に突出している。
【００６３】
クリック感付与部９７が突起部９８を乗り越える際に弾性変形する方向は前後方向である。従って、クリック感付与部９７は、弾性変形する方向を厚み方向とした板状に形成されていると言える。
【００６４】
図６に示すクリック感付与部９７の左右幅ｂは、操作片部８８の板厚（左右方向の寸法）ｔ１と同じであるが、クリック感付与部９７の板厚（前後方向の厚さ）ｔ２は、操作片部８８の板厚ｔ１よりも小さい。また、クリック感付与部９７の板厚ｔ２は、取付片部８７の板厚（上下方向の寸法）ｔ３よりも小さい。このため、クリック感付与部９７は、前後方向に力が加えられたときに弾性変形しやすくなっている。
【００６５】
クリック感付与部９７が乗り越える突起部９８は、図７に示すように上枠体６６の前板部７０の後面に形成されており、前板部７０において不意押し抑制部８０の下方に位置する部分から後方に突出している。突起部９８は水平断面円弧状の後面９９を備えた半円柱状に形成されており、左右方向における中央部に近い部分ほど後方に突出している。
【００６６】
突起部９８は、ロック位置及びアンロック位置の各々に配置されたロック用操作部材６４のクリック感付与部９７と、左右方向から見て重なる位置に配置される。すなわち、突起部９８はクリック感付与部９７が通過する位置に配置されている。
【００６７】
ロック用操作部材６４がロック位置からアンロック位置に切り替えられる際、及びアンロック位置からロック位置に切り替えられる際において、ロック用操作部材６４がロック位置とアンロック位置との中間位置を移動するとき、クリック感付与部９７は突起部９８の後面に沿ってスライドする。このとき、板状のクリック感付与部９７は、突起部９８によって後方に押されることで、前後方向に弾性変形して撓みながら突起部９８を乗り越え、この後、その形状が元に戻る。これにより、ロック用操作部材６４を操作するユーザーに対してクリック感が付与される。
【００６８】
ところで、ロック用操作部材６４において不意押し抑制部８０の底部８３から下方に突出した操作部分９２が、上方に押し込まれると、上枠体６６に取り付けられたロック用操作部材６４が上方に外れる可能性がある。このため、本実施形態の不意押し抑制部８０は、図４に示すように、ロック用操作部材６４の上方に位置してロック用操作部材６４が上枠体６６から外れることを抑制するストッパー部１００をさらに備えている。
【００６９】
ストッパー部１００は、不意押し抑制部８０の突出部分８１の内側に形成されている。本実施形態のストッパー部１００は、上下方向に直交する板状に形成されている。ストッパー部１００の左右両端部は、不意押し抑制部８０の左右の側部８４，８５にそれぞれ繋がっており、ストッパー部１００の前端部は不意押し抑制部８０の底部８３に繋がっている。
【００７０】
ロック用操作部材６４が操作されて左右方向に移動するとき、張出部９５の上端面は、ストッパー部１００の下面に沿ってスライドする。ロック用操作部材６４がロック位置及びアンロック位置に配置された状態では、ストッパー部１００の下方に張出部９５が位置する。このため、操作部分９２が上方に押し込まれる等して、ロック用操作部材６４に上向きの力が加わったとしても、張出部９５がストッパー部１００に当たることで、ロック用操作部材６４が上方に移動することが規制される。これにより、ロック用操作部材６４が上枠体６６から外れることが抑制される。
【００７１】
また、本実施形態のストッパー部１００には、メンテナンス等を行うにあたって、上枠体６６からのロック用操作部材６４の取り外しを容易にするため、上下方向に貫通した切欠１０１が形成されている。切欠１０１は、ロック位置とアンロック位置との間の中間に位置するロック用操作部材６４の張出部９５の上方に位置しており、後方に開口している。このため、ガスこんろ１のメンテナンス等を行う作業者等は、ロック用操作部材６４をロック位置とアンロック位置との間の中間に位置させた状態で、張出部９５が切欠１０１を通過するようにロック用操作部材６４を上方に移動させることで、ロック用操作部材６４を上枠体６６から容易に取り外すことができる。
【００７２】
本実施形態のロック用操作部材６４は、複数の点消火用操作部材６１，６２のロック状態とアンロック状態とを切替可能であるが、１つのみの点消火用操作部材のロック状態とアンロック状態とを切替可能であってもよい。
【００７３】
また、本実施形態のロック用操作部材６４は、点消火用操作部材６１，６２の操作を規制する規制部８９，９０を備えているが、例えば規制部８９，９０はロック用操作部材６４とは別部材でロック用操作部材６４に連動する連動部材で構成されてもよい。
【００７４】
また、ロック用操作部材６４の移動方向は、左右方向に限られず、例えば上下方向であってもよい。
【００７５】
また、ロック用操作部材６４の形状は適宜変更可能である。また、ロック用操作部材６４のクリック感付与部９７及びこんろ本体２の突起部９８は省略可能である。また、不意押し抑制部８０のストッパー部１００も省略可能である。
【００７６】
また、本実施形態の不意押し抑制部８０は、左右方向に並んだ点消火用操作部材６１，６２の間に配置されて両点消火用操作部材６１，６２に隣接しているが、不意押し抑制部８０は１つの点消火用操作部材にのみ隣接してもよい。
【００７７】
また、本実施形態のロック用操作部材６４は、不意押し抑制部８０の底部８３に設けられているが、頂部８２や側部８４，８５に設けられてもよい。また、本実施形態の不意押し抑制部８０は、上枠体６６の前板部７０と一体に形成されているが、上枠体６６とは別部材であってもよい。また、不意押し抑制部８０の突出部分８１は、隣接する点消火用操作部材６１，６２の突出部分７５と、左右方向に見て異なる形状であってもよい。
【００７８】
また、本実施形態のガスこんろ１は、複数のガスバーナー３を備えているが、ガスこんろ１はガスバーナー３を１つだけ備えてもよい。この場合、ガスこんろ１には、点消火用操作部材及び不意押し抑制部は１つずつ設けられる。
【００７９】
また、この他、本実施形態のガスこんろ１は、適宜設計変更可能である。
【００８０】
（効果）
以上説明した本実施形態のガスこんろ１は、以下に示す特徴を有している。ガスこんろ１は、こんろ本体２、ガスバーナー３、点消火用操作部材６１，６２及びロック用操作部材６４を備える。ガスバーナー３は、こんろ本体２に設けられる。点消火用操作部材６１，６２は、こんろ本体２に設けられ、こんろ本体２の前面から前方に突出し、ガスバーナー３の点火と消火とを切り替える際に操作される。ロック用操作部材６４は、点消火用操作部材６１，６２の操作の規制と当該規制の解除とを切り替える際に操作される。こんろ本体２は、不意押し抑制部８０を備える。不意押し抑制部８０は、こんろ本体２の前面から前方に突出し、左右方向において点消火用操作部材６１，６２と隣接する。ロック用操作部材６４が不意押し抑制部８０に設けられる。以下、この特徴を有するガスこんろ１を第１の態様のガスこんろ１という。
【００８１】
第１の態様のガスこんろ１は、ロック用操作部材６４が不意押し抑制部８０に設けられており、ユーザーが意図せずにロック用操作部材６４に接触することが不意押し抑制部８０によって抑制される。このため、ユーザーがロック用操作部材６４に接触して、点消火用操作部材６１，６２の操作が意図せずに規制されたり、この規制が意図せずに解除されたりすることが抑制される。また、例えば本実施形態のガスこんろ１のように化粧パネル６８を設けたガスこんろ１において、ロック用操作部材６４を不意押し抑制部８０とは別に設けた場合、化粧パネル６８には不意押し抑制部８０を貫通させるための孔とは別に、ロック用操作部材６４を貫通させるための孔を形成する必要があり、この場合、ガスこんろ１の意匠性が低下する可能性がある。しかし、第１の態様のガスこんろ１は、ロック用操作部材６４が不意押し抑制部８０に設けられるため、化粧パネル６８には不意押し抑制部８０を貫通させるための孔（窓孔７４）だけを形成すればよく、ガスこんろ１の意匠性が向上する。
【００８２】
また、前記実施形態のガスこんろ１は、第１の態様のガスこんろ１が有する特徴に加えて、以下に示す付加的な特徴を有する。ガスこんろ１は、一対のガスバーナー３と、一対のガスバーナー３のそれぞれに対応する一対の点消火用操作部材６１，６２とを備える。一対の点消火用操作部材６１，６２は、左右方向に並んでおり、不意押し抑制部８０は、一対の点消火用操作部材６１，６２の間に配置される。ロック用操作部材６４は一対の点消火用操作部材６１，６２の操作の規制と当該規制の解除とを切替可能である。以下、このガスこんろ１を第２の態様のガスこんろ１という。
【００８３】
第２の態様のガスこんろ１は、１つのロック用操作部材６４を操作するだけで、一対の点消火用操作部材６１，６２の操作の規制と当該規制の解除とを切り替えることができる。このため、点消火用操作部材６１，６２毎にロック用操作部材を設ける場合と比較して、操作回数が減り、操作性が向上する。また、ロック用操作部材６４は一対の点消火用操作部材６１，６２の間に配置されるため、ユーザーはロック用操作部材６４により操作の規制対象となる点消火用操作部材６１，６２が、一対の点消火用操作部材６１，６２であることを認識しやすく、操作性が一層向上する。
【００８４】
また、前記実施形態のガスこんろ１は、第１又は第２の態様のガスこんろ１が有する特徴に加えて、以下に示す付加的な特徴を有する。不意押し抑制部８０は、こんろ本体２の前面から前方に突出した突出部分８１の形状が、点消火用操作部材６１，６２においてこんろ本体２の前面から前方に突出した突出部分７５の形状と左右方向に見て同じ形状である。不意押し抑制部８０の突出部分８１は、左右方向に見て、点消火用操作部材６１，６２の突出部分７５と重なる。以下、このガスこんろ１を第３の態様のガスこんろ１という。
【００８５】
第３の態様のガスこんろ１は、不意押し抑制部８０と点消火用操作部材６１，６２とが連続したような外観となり、意匠性がさらに向上する。
【００８６】
また、前記実施形態のガスこんろ１は、第１〜第３のいずれかの態様のガスこんろ１が有する特徴に加えて、以下に示す付加的な特徴を有する。不意押し抑制部８０は、前方の部分ほど下方に位置するように傾斜した頂部８２と、頂部８２の前端部から後方に延びて、後方の部分ほど下方に位置するように傾斜した底部８３とを備える。ロック用操作部材６４は底部８３に設けられる。以下、このガスこんろ１を第４の態様のガスこんろ１という。
【００８７】
第４の態様のガスこんろ１は、ロック用操作部材６４が不意押し抑制部８０の底部８３に設けられるため、点消火用操作部材６１，６２を上方から操作するユーザーの手等がロック用操作部材６４に接触し難くなる。このため、点消火用操作部材６１，６２の操作が意図せずに規制されたり、この規制が意図せずに解除されたりすることを一層抑制できる。
【００８８】
また、前記実施形態のガスこんろ１は、第１〜第４のいずれか１つの態様のガスこんろ１が有する特徴に加えて、以下に示す付加的な特徴を有する。ロック用操作部材６４は、こんろ本体２に対して上方に取り外し可能に取り付けられている。ロック用操作部材６４は、左右方向に移動することで、点消火用操作部材６１，６２の操作を規制するロック位置と、点消火用操作部材６１，６２の操作の規制を解除するアンロック位置とに切換可能である。不意押し抑制部８０は、ロック位置及びアンロック位置に配置されたロック用操作部材６４の上方への移動を規制するストッパー部１００を備える。ストッパー部１００に、ロック位置とアンロック位置との間に位置するロック用操作部材６４の上方に位置し、上下方向に貫通した切欠１０１が形成される。以下、このガスこんろ１を第５の態様のガスこんろ１という。
【００８９】
第５の態様のガスこんろ１は、ロック位置及びアンロック位置に配置されたロック用操作部材６４が、上方に移動することをストッパー部１００によって規制する。このため、ロック用操作部材６４が上方に押される等して、ロック用操作部材６４がこんろ本体２から外れることが抑制される。また、ガスこんろ１のメンテナンス等を行う作業者は、ロック用操作部材６４をロック位置とアンロック位置との間に位置させて、ロック用操作部材６４を切欠１０１を通過するように上方に移動することで、ロック用操作部材６４を簡単に取り外すことができる。
【００９０】
また、前記実施形態のガスこんろ１は、第１〜第５のいずれかの態様のガスこんろ１が有する特徴に加えて、以下に示す付加的な特徴を有する。ロック用操作部材６４は、点消火用操作部材６１，６２の操作を規制するロック位置と、点消火用操作部材６１，６２の操作の規制を解除するアンロック位置とに移動可能である。ロック用操作部材６４は、弾性変形可能なクリック感付与部９７を備える。こんろ本体２は、ロック用操作部材６４がロック位置とアンロック位置との間を移動する際に、クリック感付与部９７が弾性変形しながら乗り越える突起部９８を備える。以下、このガスこんろ１を第６の態様のガスこんろ１という。
【００９１】
第６の態様のガスこんろ１は、ロック用操作部材６４がロック位置とアンロック位置との間を移動し、クリック感付与部９７が突起部９８を乗り越えたときに、ユーザーに対してクリック感を付与できる。このため、ユーザーは、ロック用操作部材６４がロック位置とアンロック位置とに切り替えられたことを、容易に認識することができる。
【００９２】
また、前記実施形態のガスこんろ１は、第６の態様のガスこんろ１が有する特徴に加えて、以下に示す付加的な特徴を有する。ロック用操作部材６４は、ユーザーによって操作される板状の操作片部８８を備える。クリック感付与部９７は、板状に形成されて操作片部８８に一体に繋がっており、クリック感付与部９７の板厚ｔ２が操作片部８８の板厚ｔ１よりも小さい。以下、このガスこんろ１を第７の態様のガスこんろ１という。
【００９３】
第７の態様のガスこんろ１は、クリック感付与部９７の板厚ｔ２が操作片部８８の板厚ｔ１よりも小さいので、クリック感付与部９７が突起部９８を乗り越える際に弾性変形しやすくなる。このため、ユーザーはロック用操作部材６４をロック位置とアンロック位置とに容易に切り替えることができる。
【符号の説明】
【００９４】
ｔ１  操作片部の板厚
ｔ２  クリック感付与部の板厚
１  ガスこんろ
２  こんろ本体
３  ガスバーナー
６１  点消火用操作部材
６２  点消火用操作部材
６４  ロック用操作部材
７５  突出部分
８０  不意押し抑制部
８１  突出部分
８２  頂部
８３  底部
８８  操作片部
９７  クリック感付与部
９８  突起部
１００  ストッパー部
１０１  切欠
【図１】
2018200120.tif 000003
【図２】
2018200120.tif 000004
【図３】
2018200120.tif 000005
【図４】
2018200120.tif 000006
【図５】
2018200120.tif 000007
【図６】
2018200120.tif 000008
【図７】
2018200120.tif 000009